【事件の表示】
　特願２００９−５２１７４５「モバイルデバイスのための入力および出力の提供」拒絶査定不服審判事件〔平成２０年　１月３１日国際公開、ＷＯ２００８／０１３６２８、平成２１年１２月１７日国内公表、特表２００９−５４５２３０〕について、次のとおり審決する。
【結　論】
　本件審判の請求は、成り立たない。
【理　由】
第１　手続の経緯
　本願は，２００７年（平成１９年）６月２５日（パリ条約による優先権主張　外国庁受理２００６年７月２７日，２００６年１２月５日，米国）を国際出願日とする出願であって，その手続の経緯は以下のとおりである。
　平成２１年　１月２７日　特許法１８４条の４第１項の規定による翻訳文の提出
　平成２２年　６月　４日　審査請求
　平成２３年　９月２８日　拒絶理由通知
　平成２３年１２月２８日　意見書・手続補正書
　平成２４年　８月１６日　拒絶理由通知（最後）
　平成２４年１１月２６日　意見書・手続補正書
　平成２５年　５月　８日　補正却下の決定・拒絶査定
（平成２４年１１月２６日付け手続補正書でした補正を却下する。この出願については平成２４年８月１６日付け拒絶理由通知に記載した理由により，拒絶すべきものである。）
　平成２５年　９月１０日　審判請求・手続補正書
　平成２５年１１月２２日　審尋
　平成２６年　２月２５日　回答書
　
第２　補正の却下の決定
［補正の却下の決定の結論］ 
　平成２５年９月１０日付けの手続補正（以下「本件補正」という。）を却下する。 
　
［理由］ 
１　本件補正の内容 
　本件補正は，特許請求の範囲を補正するものであって，特許請求の範囲については，本件補正の前後で以下のとおりである。 
　・補正前
　「【請求項１】
　モバイルデバイスのための入力および出力を提供する方法であって，
　前記モバイルデバイスにおいて複数のリモート入力デバイスの少なくとも１つから前記入力を受信することであって，前記複数のリモート入力デバイスの前記少なくとも１つは前記モバイルデバイスからリモートにあり，前記モバイルデバイスは少なくとも１つのローカル入力デバイスが配置され，前記複数のリモート入力デバイスの前記少なくとも１つは前記少なくとも１つのローカル入力デバイスよりも大きいフォームファクタを有することと，
　前記モバイルデバイスにおいて，リモートアプリケーションサーバから，実行可能なプログラム，データベースレコード，アプレット，スクリプト，およびウェブページのうち少なくとも１つのデータを受信することであって，前記少なくとも１つのデータは前記入力に関連付けられたものであることと，
　前記受信された入力および前記リモートアプリケーションサーバから受信されたデータを処理し，前記モバイルデバイスからリモートにある複数のリモート出力デバイスおよび前記モバイルデバイス上に配置されたローカル出力デバイスへ送信する複数の出力を生成することであって，前記入力および前記リモートアプリケーションサーバから受信されたデータを処理することは前記受信された入力に関連するアプレットおよびスクリプトのうちの少なくとも１つを前記リモートアプリケーションサーバからさらに受信して，前記アプレットおよびスクリプトのうちの少なくとも１つを使用して，前記受信された入力を処理することを含むことと，
　前記モバイルデバイスから前記複数のリモート出力デバイスの少なくとも１つおよび前記ローカル出力デバイスの少なくとも１つに，前記出力を送信することであって，前記複数のリモート出力デバイスの前記少なくとも１つは前記少なくとも１つのローカル出力デバイスよりも大きいフォームファクタを有し，前記モバイルデバイスから複数のリモート出力デバイスの少なくとも１つおよび前記ローカル出力デバイスの少なくとも１つに前記出力を送信することは，
　　前記複数のリモート出力デバイスの少なくとも１つに前記出力のうちの１つを送信することと，
　　前記ローカル出力デバイスの少なくとも１つに前記複数のリモート出力デバイスに送信された出力以外の出力のうちの１つを送信すること
　を含むことと
を含むことを特徴とする方法。
　　【請求項２】
　前記モバイルデバイスにおいて受信することは，モバイル電話機，セルラー電話機，ワイヤレス電話機，ワイヤレスデバイス，ハンドヘルドパーソナルコンピュータ，ハンドヘルドコンピューティングデバイス，マルチプロセッサシステム，マイクロプロセッサベースのまたはプログラム可能な消費者電子デバイス，パーソナルディジタルアシスタント，電話機，およびページャのうちの１つを構成する前記モバイルデバイスにおいて受信することを含むことを特徴とする請求項１に記載の方法。
　　【請求項３】
　前記モバイルデバイスにおいて前記複数のリモート入力デバイスの前記少なくとも１つから前記入力を受信することは，前記モバイルデバイスに常駐する複数の対応するローカル入力ドライバの少なくとも１つを介して，前記モバイルデバイスにおいて前記複数のリモート入力デバイスの前記少なくとも１つから前記入力を受信することを含むことを特徴とする請求項１に記載の方法。
　　【請求項４】
　前記モバイルデバイスにおいて，キーボード，マウス，および記憶デバイスのうちの１つを構成する前記複数のリモート入力デバイスの前記少なくとも１つから前記入力を受信することを特徴とする請求項１に記載の方法。
　　【請求項５】
　前記モバイルデバイスから前記出力を送信することは，前記モバイルデバイス上に位置する処理ユニットからの，前記少なくとも１つのローカル出力デバイスを駆動する信号から生成された前記出力を，前記モバイルデバイスから送信することを含むことを特徴とする請求項１に記載の方法。
　　【請求項６】
　前記モバイルデバイスから前記出力を送信することは，コンポジット，赤−緑−青（ＲＧＢ），ＰＡＬ（ｐｈａｓｅ　ａｌｔｅｒｎａｔｉｎｇ　ｌｉｎｅ），ＮＴＳＣ（ｎａｔｉｏｎａｌ　ｔｅｌｅｖｉｓｉｏｎ　ｓｔａｎｄａｒｄｓ　ｃｏｍｍｉｔｔｅｅ），ＳＥＣＡＭ（ｓｅｑｕｅｎｔｉａｌ　ｃｏｌｏｒ　ｗｉｔｈ　ｍｅｍｏｒｙ），Ｓ−ＶＩＤＥＯ（ｓｕｐｅｒ−ｖｉｄｅｏ），ＶＧＡ（ｖｉｄｅｏ　ｇｒａｐｈｉｃｓ　ａｒｒａｙ），およびＤＶＩ（ｄｉｇｉｔａｌ　ｖｉｓｕａｌ　ｉｎｔｅｒｆａｃｅ）のフォーマットのうちの１つを構成する前記出力を，前記モバイルデバイスから送信することを含むことを特徴とする請求項１に記載の方法。
　　【請求項７】
　前記モバイルデバイスから前記出力を送信することは，出力ドライバおよびアダプタモジュールのうちの一方からの前記出力を前記リモート出力デバイスに送信し，他方からの出力を前記ローカル出力デバイスに送信することを含み，前記前記出力ドライバおよび前記アダプタモジュールは，コンポジット，赤−緑−青（ＲＧＢ），ＰＡＬ（ｐｈａｓｅ　ａｌｔｅｒｎａｔｉｎｇ　ｌｉｎｅ），ＮＴＳＣ（ｎａｔｉｏｎａｌ　ｔｅｌｅｖｉｓｉｏｎ　ｓｔａｎｄａｒｄｓ　ｃｏｍｍｉｔｔｅｅ），ＳＥＣＡＭ（ｓｅｑｕｅｎｔｉａｌ　ｃｏｌｏｒ　ｗｉｔｈ　ｍｅｍｏｒｙ），Ｓ−ＶＩＤＥＯ（ｓｕｐｅｒ−ｖｉｄｅｏ），ＶＧＡ（ｖｉｄｅｏ　ｇｒａｐｈｉｃｓ　ａｒｒａｙ），およびＤＶＩ（ｄｉｇｉｔａｌ　ｖｉｓｕａｌ　ｉｎｔｅｒｆａｃｅ）のフォーマットのうちの少なくとも１つで前記出力を生成するように構成されたことを特徴とする請求項１に記載の方法。
　　【請求項８】
　モバイルデバイスのための入力および出力を提供するためのシステムであって，
　メモリ記憶装置と，
　前記メモリ記憶装置に結合された処理ユニットとを備え，前記処理ユニットは，
　　ローカル入力デバイスを有するモバイルデバイスからリモートにあるリモート入力デバイスから入力を受信するように動作可能であり，前記リモート入力デバイスは前記ローカル入力デバイスよりも大きいフォームファクタを有し，さらに，
　　リモートアプリケーションサーバからデータを受信するように動作可能であり，前記リモートアプリケーションサーバは，実行可能なプログラム，データベースレコード，アプレット，スクリプト，およびウェブページの少なくとも１つと提供するように構成され，前記少なくとも１つのデータは前記入力に関連付けられ，
　　前記受信された入力および前記受信されたデータを処理し，前記モバイルデバイスからリモートにある複数のリモート出力デバイスおよび前記モバイルデバイス上に配置されたローカル出力デバイスへの複数の出力を生成するように動作可能であり，前記受信された入力および前記リモートアプリケーションサーバから受信されたデータを処理することは，前記受信された入力に関連するアプレットおよびスクリプトのうちの少なくとも１つを前記リモートアプリケーションサーバからさらに受信して，前記アプレットおよびスクリプトのうちの少なくとも１つを使用して，前記受信されたデータの入力を処理し，
　　前記リモート出力デバイスおよび前記ローカル出力デバイスに前記出力を送信するように動作可能であり，前記リモート出力デバイスは前記ローカル出力デバイスよりも大きいフォームファクタを有し，前記モバイルデバイスから複数のリモート出力デバイスの少なくとも１つおよび前記ローカル出力デバイスの少なくとも１つに前記出力を送信することは，
　　前記複数のリモート出力デバイスの少なくとも１つに前記出力のうちの１つを送信することと，
　　前記ローカル出力デバイスの少なくとも１つに前記複数のリモート出力デバイスに送信された出力以外の出力うちの１つを送信することを含むことと
を特徴とするシステム。
　　【請求項９】
　前記モバイルデバイスは，モバイル電話機，セルラー電話機，ワイヤレス電話機，ワイヤレスデバイス，ハンドヘルドパーソナルコンピュータ，ハンドヘルドコンピューティングデバイス，マルチプロセッサシステム，マイクロプロセッサベースのまたはプログラム可能な消費者電子デバイス，パーソナルディジタルアシスタント（ＰＤＡ），電話機，およびページャのうちの１つを構成することを特徴とする請求項８に記載のシステム。
　　【請求項１０】
　送信するように動作可能な前記処理ユニットは，前記モバイルデバイス上に位置する前記処理ユニットからの，前記ローカル出力デバイスを駆動する信号から生成された前記出力を前記モバイルデバイスから送信するように動作可能な前記処理ユニットを構成することを特徴とする請求項８に記載のシステム。
　　【請求項１１】
　送信するように動作可能な前記処理ユニットは，出力ドライバおよびアダプタモジュールのうちの一方からの前記出力を前記モバイルデバイスから送信するように動作可能な前記処理ユニットを構成し，前記出力ドライバおよび前記アダプタモジュールは，コンポジット，赤−緑−青（ＲＧＢ），ＰＡＬ（ｐｈａｓｅ　ａｌｔｅｒｎａｔｉｎｇ　ｌｉｎｅ），ＮＴＳＣ（ｎａｔｉｏｎａｌ　ｔｅｌｅｖｉｓｉｏｎ　ｓｔａｎｄａｒｄｓ　ｃｏｍｍｉｔｔｅｅ），ＳＥＣＡＭ（ｓｅｑｕｅｎｔｉａｌ　ｃｏｌｏｒ　ｗｉｔｈ　ｍｅｍｏｒｙ），Ｓ−ＶＩＤＥＯ（ｓｕｐｅｒ−ｖｉｄｅｏ），ＶＧＡ（ｖｉｄｅｏ　ｇｒａｐｈｉｃｓ　ａｒｒａｙ），およびＤＶＩ（ｄｉｇｉｔａｌ　ｖｉｓｕａｌ　ｉｎｔｅｒｆａｃｅ）のフォーマットのうちの少なくとも１つで前記出力を生成するように
構成されたことを特徴とする請求項８に記載のシステム。
　　【請求項１２】
　命令のセットを記憶したコンピュータ可読媒体であって，前記命令のセットは，実行されたとき，モバイルデバイスのための入力および出力を提供する方法を実施し，前記命令のセットによって実行される前記方法は，
　前記モバイルデバイスにおいて複数のリモート入力デバイスの少なくとも１つから前記入力を受信することであって，前記複数のリモート入力デバイスの前記少なくとも１つは前記モバイルデバイスからリモートにあり，前記モバイルデバイスは少なくとも１つのローカル入力デバイスを有し，前記複数のリモート入力デバイスの前記少なくとも１つは前記少なくとも１つのローカル入力デバイスよりも人間工学的であることと，
　前記モバイルデバイスにおいて，リモートアプリケーションサーバから，ウェブへの接続を通してデータを受信することであって，前記データは，実行可能なプログラム，データベースレコード，アプレット，スクリプト，およびウェブページ少なくとも１つを含み，前記少なくとも１つのデータは前記入力に関連付けられたものであることと，
　前記受信された入力および前記リモートアプリケーションサーバから受信されたデータを処理し，前記モバイルデバイスからリモートにある複数のリモート出力デバイスおよび前記モバイルデバイス上に配置されたローカル出力デバイスへの複数の出力を生成することであって，前記入力および前記リモートアプリケーションサーバから受信されたデータを処理することは前記受信された入力に関連するアプレットおよびスクリプトのうちの少なくとも１つを前記リモートアプリケーションサーバからさらに受信して，前記アプレットおよびスクリプトのうちの少なくとも１つを使用して，前記受信されたデータの入力を処理することを含むことと，
　前記モバイルデバイスから前記複数のリモート出力デバイスの少なくとも１つおよび前記ローカル出力デバイスの少なくとも１つに前記出力を送信することであって，前記複数のリモート出力デバイスの前記少なくとも１つは前記少なくとも１つのローカル出力デバイスよりも人間工学的であり，前記モバイルデバイスから複数のリモート出力デバイスの少なくとも１つおよび前記ローカル出力デバイスの少なくとも１つに前記出力を送信することは，
　　前記複数のリモート出力デバイスの少なくとも１つに前記出力のうちの１つを送信することと，
　　前記ローカル出力デバイスの少なくとも１つに前記複数のリモート出力デバイスに送信された出力以外の出力うちの１つを送信することを含むことと
を含むことを特徴とするコンピュータ可読媒体。
　　【請求項１３】
　前記モバイルデバイスにおいて受信することは，モバイル電話機，セルラー電話機，ワイヤレス電話機，ワイヤレスデバイス，ハンドヘルドパーソナルコンピュータ，ハンドヘルドコンピューティングデバイス，マルチプロセッサシステム，マイクロプロセッサベースのまたはプログラム可能な消費者電子デバイス，パーソナルディジタルアシスタント（ＰＤＡ），電話機，およびページャのうちの１つを構成する前記モバイルデバイスにおいて受信することを含むことを特徴とする請求項１２に記載のコンピュータ可読媒体。
　　【請求項１４】
　前記モバイルデバイスにおいて前記複数のリモート入力デバイスの前記少なくとも１つから前記入力を受信することは，前記モバイルデバイスに常駐する複数の対応するローカル入力ドライバの少なくとも１つを介して，前記モバイルデバイスにおいて前記複数のリモート入力デバイスの前記少なくとも１つから前記入力を受信することを含むことを特徴とする請求項１２に記載のコンピュータ可読媒体。
　　【請求項１５】
　前記モバイルデバイスにおいて，キーボード，マウス，および記憶デバイスのうちの１つを構成する前記複数のリモート入力デバイスの前記少なくとも１つから前記入力を受信することを特徴とする請求項１２に記載のコンピュータ可読媒体。
　　【請求項１６】
　前記モバイルデバイスから前記出力を送信することは，前記モバイルデバイス上に位置する処理ユニットからの，前記少なくとも１つのローカル出力デバイスを駆動する信号から生成された前記出力を，前記モバイルデバイスから送信することを含むことを特徴とする請求項１２に記載のコンピュータ可読媒体。
　　【請求項１７】
　前記モバイルデバイスから前記出力を送信することは，コンポジット，赤−緑−青（ＲＧＢ），ＰＡＬ（ｐｈａｓｅ　ａｌｔｅｒｎａｔｉｎｇ　ｌｉｎｅ），ＮＴＳＣ（ｎａｔｉｏｎａｌ　ｔｅｌｅｖｉｓｉｏｎ　ｓｔａｎｄａｒｄｓ　ｃｏｍｍｉｔｔｅｅ），ＳＥＣＡＭ（ｓｅｑｕｅｎｔｉａｌ　ｃｏｌｏｒ　ｗｉｔｈ　ｍｅｍｏｒｙ），Ｓ−ＶＩＤＥＯ（ｓｕｐｅｒ−ｖｉｄｅｏ），ＶＧＡ（ｖｉｄｅｏ　ｇｒａｐｈｉｃｓ　ａｒｒａｙ），およびＤＶＩ（ｄｉｇｉｔａｌ　ｖｉｓｕａｌ　ｉｎｔｅｒｆａｃｅ）のフォーマットのうちの１つを構成する前記出力を，前記モバイルデバイスから送信することを含むことを特徴とする請求項１２に記載のコンピュータ可読媒体。
　　【請求項１８】
　前記モバイルデバイスから前記出力を送信することは，出力ドライバおよびアダプタモジュールのうちの一方からの前記出力を前記モバイルデバイスから送信することを含み，前記出力ドライバおよびアダプタモジュールは，コンポジット，赤−緑−青（ＲＧＢ），ＰＡＬ（ｐｈａｓｅ　ａｌｔｅｒｎａｔｉｎｇ　ｌｉｎｅ），ＮＴＳＣ（ｎａｔｉｏｎａｌ　ｔｅｌｅｖｉｓｉｏｎ　ｓｔａｎｄａｒｄｓ　ｃｏｍｍｉｔｔｅｅ），ＳＥＣＡＭ（ｓｅｑｕｅｎｔｉａｌ　ｃｏｌｏｒ　ｗｉｔｈ　ｍｅｍｏｒｙ），Ｓ−ＶＩＤＥＯ（ｓｕｐｅｒ−ｖｉｄｅｏ），ＶＧＡ（ｖｉｄｅｏ　ｇｒａｐｈｉｃｓ　ａｒｒａｙ），およびＤＶＩ（ｄｉｇｉｔａｌ　ｖｉｓｕａｌ　ｉｎｔｅｒｆａｃｅ）のフォーマットのうちの少なくとも１つで前記出力を生成するように構成されたことを特徴とする請求項１２に記載のコンピュータ可読媒体。」
　・補正後
　「【請求項１】
　モバイルデバイスのための入力および出力を提供する方法であって，
　前記モバイルデバイスにおいて複数のリモート入力デバイスの少なくとも１つから前記入力を受信することであって，前記複数のリモート入力デバイスの前記少なくとも１つは前記モバイルデバイスからリモートにあり，前記モバイルデバイスは少なくとも１つのローカル入力デバイスが配置され，前記複数のリモート入力デバイスの前記少なくとも１つは前記少なくとも１つのローカル入力デバイスよりも大きいフォームファクタを有することと，
　前記モバイルデバイスにおいて，リモートアプリケーションサーバから，実行可能なプログラム，データベースレコード，アプレット，スクリプト，およびウェブページのうち少なくとも１つのデータを受信することであって，前記少なくとも１つのデータは前記入力に関連付けられたものであることと，
　前記受信された入力および前記リモートアプリケーションサーバから受信されたデータを，前記モバイルデバイス内のコンピューティングデバイスを使用して処理し，前記モバイルデバイスからリモートにある複数のリモート出力デバイスおよび前記モバイルデバイス上に配置されたローカル出力デバイスへ送信する複数の出力を生成することであって，前記入力および前記リモートアプリケーションサーバから受信されたデータを処理することは前記受信された入力に関連するアプレットおよびスクリプトのうちの少なくとも１つを前記リモートアプリケーションサーバからさらに受信して，前記アプレットおよびスクリプトのうちの少なくとも１つを使用して，前記受信された入力を処理することを含むことと，
　前記モバイルデバイスから前記複数のリモート出力デバイスの少なくとも１つおよび前記ローカル出力デバイスの少なくとも１つに，前記出力を送信することであって，前記複数のリモート出力デバイスの前記少なくとも１つは前記少なくとも１つのローカル出力デバイスよりも大きいフォームファクタを有し，前記モバイルデバイスから複数のリモート出力デバイスの少なくとも１つおよび前記ローカル出力デバイスの少なくとも１つに前記出力を送信することは，
　　前記複数のリモート出力デバイスの少なくとも１つに前記出力のうちの１つを，出力ドライバを介してアダプタモジュールから送信することと，
　　前記ローカル出力デバイスの少なくとも１つに前記複数のリモート出力デバイスに送信された出力以外の出力のうちの１つを，前記出力ドライバから送信すること
　を含むことと
を含むことを特徴とする方法。
　　【請求項２】
　前記モバイルデバイスにおいて受信することは，モバイル電話機，セルラー電話機，ワイヤレス電話機，ワイヤレスデバイス，ハンドヘルドパーソナルコンピュータ，ハンドヘルドコンピューティングデバイス，マルチプロセッサシステム，マイクロプロセッサベースのまたはプログラム可能な消費者電子デバイス，パーソナルディジタルアシスタント，電話機，およびページャのうちの１つを構成する前記モバイルデバイスにおいて受信することを含むことを特徴とする請求項１に記載の方法。
　　【請求項３】
　前記モバイルデバイスにおいて前記複数のリモート入力デバイスの前記少なくとも１つから前記入力を受信することは，前記モバイルデバイスに常駐する複数の対応するローカル入力ドライバの少なくとも１つを介して，前記モバイルデバイスにおいて前記複数のリモート入力デバイスの前記少なくとも１つから前記入力を受信することを含むことを特徴とする請求項１に記載の方法。
　　【請求項４】
　前記モバイルデバイスにおいて，キーボード，マウス，および記憶デバイスのうちの１つを構成する前記複数のリモート入力デバイスの前記少なくとも１つから前記入力を受信することを特徴とする請求項１に記載の方法。
　　【請求項５】
　前記モバイルデバイスから前記出力を送信することは，前記モバイルデバイス上に位置する処理ユニットからの，前記少なくとも１つのローカル出力デバイスを駆動する信号から生成された前記出力を，前記モバイルデバイスから送信することを含むことを特徴とする請求項１に記載の方法。
　　【請求項６】
　前記モバイルデバイスから前記出力を送信することは，コンポジット，赤−緑−青（ＲＧＢ），ＰＡＬ（ｐｈａｓｅ　ａｌｔｅｒｎａｔｉｎｇ　ｌｉｎｅ），ＮＴＳＣ（ｎａｔｉｏｎａｌ　ｔｅｌｅｖｉｓｉｏｎ　ｓｔａｎｄａｒｄｓ　ｃｏｍｍｉｔｔｅｅ），ＳＥＣＡＭ（ｓｅｑｕｅｎｔｉａｌ　ｃｏｌｏｒ　ｗｉｔｈ　ｍｅｍｏｒｙ），Ｓ−ＶＩＤＥＯ（ｓｕｐｅｒ−ｖｉｄｅｏ），ＶＧＡ（ｖｉｄｅｏ　ｇｒａｐｈｉｃｓ　ａｒｒａｙ），およびＤＶＩ（ｄｉｇｉｔａｌ　ｖｉｓｕａｌ　ｉｎｔｅｒｆａｃｅ）のフォーマットのうちの１つを構成する前記出力を，前記モバイルデバイスから送信することを含むことを特徴とする請求項１に記載の方法。
　　【請求項７】
　前記モバイルデバイスから前記出力を送信することは，出力ドライバおよびアダプタモジュールのうちの一方からの前記出力を前記リモート出力デバイスに送信し，他方からの出力を前記ローカル出力デバイスに送信することを含み，前記前記出力ドライバおよび前記アダプタモジュールは，コンポジット，赤−緑−青（ＲＧＢ），ＰＡＬ（ｐｈａｓｅ　ａｌｔｅｒｎａｔｉｎｇ　ｌｉｎｅ），ＮＴＳＣ（ｎａｔｉｏｎａｌ　ｔｅｌｅｖｉｓｉｏｎ　ｓｔａｎｄａｒｄｓ　ｃｏｍｍｉｔｔｅｅ），ＳＥＣＡＭ（ｓｅｑｕｅｎｔｉａｌ　ｃｏｌｏｒ　ｗｉｔｈ　ｍｅｍｏｒｙ），Ｓ−ＶＩＤＥＯ（ｓｕｐｅｒ−ｖｉｄｅｏ），ＶＧＡ（ｖｉｄｅｏ　ｇｒａｐｈｉｃｓ　ａｒｒａｙ），およびＤＶＩ（ｄｉｇｉｔａｌ　ｖｉｓｕａｌ　ｉｎｔｅｒｆａｃｅ）のフォーマットのうちの少なくとも１つで前記出力を生成するように構成されたことを特徴とする請求項１に記載の方法。
　　【請求項８】
　モバイルデバイスのための入力および出力を提供するためのシステムであって，
　メモリ記憶装置と，
　前記メモリ記憶装置に結合された処理ユニットとを備え，前記処理ユニットは，
　　ローカル入力デバイスを有するモバイルデバイスからリモートにあるリモート入力デバイスから入力を受信するように動作可能であり，前記リモート入力デバイスは前記ローカル入力デバイスよりも大きいフォームファクタを有し，さらに，
　　リモートアプリケーションサーバからデータを受信するように動作可能であり，前記リモートアプリケーションサーバは，実行可能なプログラム，データベースレコード，アプレット，スクリプト，およびウェブページの少なくとも１つと提供するように構成され，前記少なくとも１つのデータは前記入力に関連付けられ，
　　前記受信された入力および前記受信されたデータを，前記モバイルデバイスにより処理し，前記モバイルデバイスからリモートにある複数のリモート出力デバイスおよび前記モバイルデバイス上に配置されたローカル出力デバイスへの複数の出力を生成するように動作可能であり，前記受信された入力および前記リモートアプリケーションサーバから受信されたデータを処理することは，前記受信された入力に関連するアプレットおよびスクリプトのうちの少なくとも１つを前記リモートアプリケーションサーバからさらに受信して，前記アプレットおよびスクリプトのうちの少なくとも１つを使用して，前記受信されたデータの入力を処理し，
　　前記リモート出力デバイスおよび前記ローカル出力デバイスに前記出力を送信するように動作可能であり，前記リモート出力デバイスは前記ローカル出力デバイスよりも大きいフォームファクタを有し，前記モバイルデバイスから複数のリモート出力デバイスの少なくとも１つおよび前記ローカル出力デバイスの少なくとも１つに前記出力を送信することは，
　　前記複数のリモート出力デバイスの少なくとも１つに前記出力のうちの１つを，出力ドライバを介してアダプタモジュールから送信することと，
　　前記ローカル出力デバイスの少なくとも１つに前記複数のリモート出力デバイスに送信された出力以外の出力うちの１つを，前記出力ドライバから送信することを含むこととを特徴とするシステム。
　　【請求項９】
　前記モバイルデバイスは，モバイル電話機，セルラー電話機，ワイヤレス電話機，ワイヤレスデバイス，ハンドヘルドパーソナルコンピュータ，ハンドヘルドコンピューティングデバイス，マルチプロセッサシステム，マイクロプロセッサベースのまたはプログラム可能な消費者電子デバイス，パーソナルディジタルアシスタント（ＰＤＡ），電話機，およびページャのうちの１つを構成することを特徴とする請求項８に記載のシステム。
　　【請求項１０】
　送信するように動作可能な前記処理ユニットは，前記モバイルデバイス上に位置する前記処理ユニットからの，前記ローカル出力デバイスを駆動する信号から生成された前記出力を前記モバイルデバイスから送信するように動作可能な前記処理ユニットを構成することを特徴とする請求項８に記載のシステム。
　　【請求項１１】
　送信するように動作可能な前記処理ユニットは，出力ドライバおよびアダプタモジュールのうちの一方からの前記出力を前記モバイルデバイスから送信するように動作可能な前記処理ユニットを構成し，前記出力ドライバおよび前記アダプタモジュールは，コンポジット，赤−緑−青（ＲＧＢ），ＰＡＬ（ｐｈａｓｅ　ａｌｔｅｒｎａｔｉｎｇ　ｌｉｎｅ），ＮＴＳＣ（ｎａｔｉｏｎａｌ　ｔｅｌｅｖｉｓｉｏｎ　ｓｔａｎｄａｒｄｓ　ｃｏｍｍｉｔｔｅｅ），ＳＥＣＡＭ（ｓｅｑｕｅｎｔｉａｌ　ｃｏｌｏｒ　ｗｉｔｈ　ｍｅｍｏｒｙ），Ｓ−ＶＩＤＥＯ（ｓｕｐｅｒ−ｖｉｄｅｏ），ＶＧＡ（ｖｉｄｅｏ　ｇｒａｐｈｉｃｓ　ａｒｒａｙ），およびＤＶＩ（ｄｉｇｉｔａｌ　ｖｉｓｕａｌ　ｉｎｔｅｒｆａｃｅ）のフォーマットのうちの少なくとも１つで前記出力を生成するように
構成されたことを特徴とする請求項８に記載のシステム。
　　【請求項１２】
　命令のセットを記憶したコンピュータ可読媒体であって，前記命令のセットは，実行されたとき，モバイルデバイスのための入力および出力を提供する方法を実施し，前記命令のセットによって実行される前記方法は，
　前記モバイルデバイスにおいて複数のリモート入力デバイスの少なくとも１つから前記入力を受信することであって，前記複数のリモート入力デバイスの前記少なくとも１つは前記モバイルデバイスからリモートにあり，前記モバイルデバイスは少なくとも１つのローカル入力デバイスを有し，前記複数のリモート入力デバイスの前記少なくとも１つは前記少なくとも１つのローカル入力デバイスよりも人間工学的であることと，
　前記モバイルデバイスにおいて，リモートアプリケーションサーバから，ウェブへの接続を通してデータを受信することであって，前記データは，実行可能なプログラム，データベースレコード，アプレット，スクリプト，およびウェブページ少なくとも１つを含み，前記少なくとも１つのデータは前記入力に関連付けられたものであることと，
　前記受信された入力および前記リモートアプリケーションサーバから受信されたデータを，前記モバイルデバイス内のコンピューティングデバイスを使用して処理し，前記モバイルデバイスからリモートにある複数のリモート出力デバイスおよび前記モバイルデバイス上に配置されたローカル出力デバイスへの複数の出力を生成することであって，前記入力および前記リモートアプリケーションサーバから受信されたデータを処理することは前記受信された入力に関連するアプレットおよびスクリプトのうちの少なくとも１つを前記リモートアプリケーションサーバからさらに受信して，前記アプレットおよびスクリプトのうちの少なくとも１つを使用して，前記受信されたデータの入力を処理することを含むことと，
　前記モバイルデバイスから前記複数のリモート出力デバイスの少なくとも１つおよび前記ローカル出力デバイスの少なくとも１つに前記出力を送信することであって，前記複数のリモート出力デバイスの前記少なくとも１つは前記少なくとも１つのローカル出力デバイスよりも人間工学的であり，前記モバイルデバイスから複数のリモート出力デバイスの少なくとも１つおよび前記ローカル出力デバイスの少なくとも１つに前記出力を送信することは，
　　前記複数のリモート出力デバイスの少なくとも１つに前記出力のうちの１つを，出力ドライバを介してアダプタモジュールから送信することと，
　　前記ローカル出力デバイスの少なくとも１つに前記複数のリモート出力デバイスに送信された出力以外の出力うちの１つを，前記出力ドライバから送信することを含むこととを含むことを特徴とするコンピュータ可読媒体。
　　【請求項１３】
　前記モバイルデバイスにおいて受信することは，モバイル電話機，セルラー電話機，ワイヤレス電話機，ワイヤレスデバイス，ハンドヘルドパーソナルコンピュータ，ハンドヘルドコンピューティングデバイス，マルチプロセッサシステム，マイクロプロセッサベースのまたはプログラム可能な消費者電子デバイス，パーソナルディジタルアシスタント（ＰＤＡ），電話機，およびページャのうちの１つを構成する前記モバイルデバイスにおいて受信することを含むことを特徴とする請求項１２に記載のコンピュータ可読媒体。
　　【請求項１４】
　前記モバイルデバイスにおいて前記複数のリモート入力デバイスの前記少なくとも１つから前記入力を受信することは，前記モバイルデバイスに常駐する複数の対応するローカル入力ドライバの少なくとも１つを介して，前記モバイルデバイスにおいて前記複数のリモート入力デバイスの前記少なくとも１つから前記入力を受信することを含むことを特徴とする請求項１２に記載のコンピュータ可読媒体。
　　【請求項１５】
　前記モバイルデバイスにおいて，キーボード，マウス，および記憶デバイスのうちの１つを構成する前記複数のリモート入力デバイスの前記少なくとも１つから前記入力を受信することを特徴とする請求項１２に記載のコンピュータ可読媒体。
　　【請求項１６】
　前記モバイルデバイスから前記出力を送信することは，前記モバイルデバイス上に位置する処理ユニットからの，前記少なくとも１つのローカル出力デバイスを駆動する信号から生成された前記出力を，前記モバイルデバイスから送信することを含むことを特徴とする請求項１２に記載のコンピュータ可読媒体。
　　【請求項１７】
　前記モバイルデバイスから前記出力を送信することは，コンポジット，赤−緑−青（ＲＧＢ），ＰＡＬ（ｐｈａｓｅ　ａｌｔｅｒｎａｔｉｎｇ　ｌｉｎｅ），ＮＴＳＣ（ｎａｔｉｏｎａｌ　ｔｅｌｅｖｉｓｉｏｎ　ｓｔａｎｄａｒｄｓ　ｃｏｍｍｉｔｔｅｅ），ＳＥＣＡＭ（ｓｅｑｕｅｎｔｉａｌ　ｃｏｌｏｒ　ｗｉｔｈ　ｍｅｍｏｒｙ），Ｓ−ＶＩＤＥＯ（ｓｕｐｅｒ−ｖｉｄｅｏ），ＶＧＡ（ｖｉｄｅｏ　ｇｒａｐｈｉｃｓ　ａｒｒａｙ），およびＤＶＩ（ｄｉｇｉｔａｌ　ｖｉｓｕａｌ　ｉｎｔｅｒｆａｃｅ）のフォーマットのうちの１つを構成する前記出力を，前記モバイルデバイスから送信することを含むことを特徴とする請求項１２に記載のコンピュータ可読媒体。
　　【請求項１８】
　前記モバイルデバイスから前記出力を送信することは，出力ドライバおよびアダプタモジュールのうちの一方からの前記出力を前記モバイルデバイスから送信することを含み，前記出力ドライバおよびアダプタモジュールは，コンポジット，赤−緑−青（ＲＧＢ），ＰＡＬ（ｐｈａｓｅ　ａｌｔｅｒｎａｔｉｎｇ　ｌｉｎｅ），ＮＴＳＣ（ｎａｔｉｏｎａｌ　ｔｅｌｅｖｉｓｉｏｎ　ｓｔａｎｄａｒｄｓ　ｃｏｍｍｉｔｔｅｅ），ＳＥＣＡＭ（ｓｅｑｕｅｎｔｉａｌ　ｃｏｌｏｒ　ｗｉｔｈ　ｍｅｍｏｒｙ），Ｓ−ＶＩＤＥＯ（ｓｕｐｅｒ−ｖｉｄｅｏ），ＶＧＡ（ｖｉｄｅｏ　ｇｒａｐｈｉｃｓ　ａｒｒａｙ），およびＤＶＩ（ｄｉｇｉｔａｌ　ｖｉｓｕａｌ　ｉｎｔｅｒｆａｃｅ）のフォーマットのうちの少なくとも１つで前記出力を生成するように構成されたことを特徴とする請求項１２に記載のコンピュータ可読媒体。」
　
２　補正事項の整理
　本件補正による特許請求の範囲についての補正を整理すると次のとおりとなる。（当審注．下線は補正箇所を示し，当審で付加したもの。）
　・補正事項１
　補正前の請求項１の「前記受信された入力および前記リモートアプリケーションサーバから受信されたデータを処理し，」を，「前記受信された入力および前記リモートアプリケーションサーバから受信されたデータを
，前記モバイルデバイス内のコンピューティングデバイスを使用して
　・補正事項２
　補正前の請求項１の「前記複数のリモート出力デバイスの少なくとも１つに前記出力のうちの１つを送信することと，前記ローカル出力デバイスの少なくとも１つに前記複数のリモート出力デバイスに送信された出力以外の出力のうちの１つを送信することを含むことと」を，「前記複数のリモート出力デバイスの少なくとも１つに前記出力のうちの１つを
，出力ドライバを介してアダプタモジュールから
，前記出力ドライバから
　・補正事項３
　補正前の請求項８の「前記受信された入力および前記受信されたデータを処理し，」を，「前記受信された入力および前記受信されたデータを
，前記モバイルデバイスにより
　・補正事項４
　補正前の請求項８の「前記複数のリモート出力デバイスの少なくとも１つに前記出力のうちの１つを送信することと，前記ローカル出力デバイスの少なくとも１つに前記複数のリモート出力デバイスに送信された出力以外の出力うちの１つを送信することを含むこと」を，「前記複数のリモート出力デバイスの少なくとも１つに前記出力のうちの１つを
，出力ドライバを介してアダプタモジュールから
，前記出力ドライバから
　・補正事項５
　補正前の請求項１２の「前記受信された入力および前記リモートアプリケーションサーバから受信されたデータを処理し，」を，「前記受信された入力および前記リモートアプリケーションサーバから受信されたデータを
，前記モバイルデバイス内のコンピューティングデバイスを使用して
　・補正事項６
　補正前の請求項１２の「前記複数のリモート出力デバイスの少なくとも１つに前記出力のうちの１つを送信することと，前記ローカル出力デバイスの少なくとも１つに前記複数のリモート出力デバイスに送信された出力以外の出力うちの１つを送信することを含むこと」を，「前記複数のリモート出力デバイスの少なくとも１つに前記出力のうちの１つを
，出力ドライバを介してアダプタモジュールから
，前記出力ドライバから
　
３　補正の適否について
（１）補正事項１及び２について
　ア　本願の願書に最初に添付した明細書（以下「当初明細書」という。）の段落【００２４】及び【００２８】の記載から，補正事項１は，本願の願書に最初に添付した明細書，特許請求の範囲又は図面（以下「当初明細書等」という。）に記載された事項の範囲内においてされたものであることは明らかである。
　そして，当初明細書の段落【００１５】ないし【００１７】の記載，及び本願の願書に最初に添付した図１から，補正事項２も，当初明細書等に記載された事項の範囲内においてされたものであることは明らかである。
　そうすると，補正事項１及び２は，いずれも特許法第１７条の２第３項の規定に適合する。
　イ　補正事項１は，補正前の請求項１における「前記受信された入力および前記リモートアプリケーションサーバから受信されたデータを処理し，」を，「前記受信された入力および前記リモートアプリケーションサーバから受信されたデータを，前記モバイルデバイス内のコンピューティングデバイスを使用して処理し，」と技術的に限定するもので，補正前の請求項１に記載された発明特定事項を限定的に減縮する。
　そして，補正事項２は，補正前の請求項１における「前記複数のリモート出力デバイスの少なくとも１つに前記出力のうちの１つを送信することと，前記ローカル出力デバイスの少なくとも１つに前記複数のリモート出力デバイスに送信された出力以外の出力のうちの１つを送信することを含むことと」を，「前記複数のリモート出力デバイスの少なくとも１つに前記出力のうちの１つを，出力ドライバを介してアダプタモジュールから送信することと，前記ローカル出力デバイスの少なくとも１つに前記複数のリモート出力デバイスに送信された出力以外の出力のうちの１つを，前記出力ドライバから送信することを含むことと」と技術的に限定するもので，補正前の請求項１に記載された発明特定事項を限定的に減縮する。
　そうすると，補正事項１及び補正事項２が，いずれも特許法第１７条の２第４項の規定に適合することは明らかであり，また，補正事項１及び補正事項２は，いずれも同法第１７条の２第５項第２号に掲げる特許請求の範囲の減縮を目的とするものに該当する。
　
（２）補正事項３及び４について
　ア　当初明細書の段落【００２４】及び【００２８】の記載から，補正事項３は，当初明細書等に記載された事項の範囲内においてされたものであることは明らかである。
　そして，上記（１）アの補正事項２に関する理由により，補正事項４は，特許法第１７条の２第３項の規定に適合するものである。
　イ　補正事項３は，補正前の請求項８における「前記受信された入力および前記受信されたデータを処理し，」を，「前記受信された入力および前記受信されたデータを，前記モバイルデバイスにより処理し，」と技術的に限定するもので，補正前の請求項８に記載された発明特定事項を限定的に減縮する。
　そして，補正事項４は，上記（１）イの補正事項２に関する理由により，補正前の請求項８に記載された発明特定事項を限定的に減縮する。
　そうすると，補正事項３及び補正事項４が，いずれも特許法第１７条の２第４項の規定に適合することは明らかであり，また，補正事項３及び補正事項４は，いずれも同法第１７条の２第５項第２号に掲げる特許請求の範囲の減縮を目的とするものに該当する。
　
（３）補正事項５及び６について
　上記（１）アの理由により，補正事項５及び補正事項６は，いずれも特許法第１７条の２第３項の規定に適合するものである。
　そして，上記（１）イの理由により，補正事項５及び補正事項６が，いずれも特許法第１７条の２第４項の規定に適合することは明らかであり，また，補正事項５及び補正事項６は，いずれも同法第１７条の２第５項第２号に掲げる特許請求の範囲の減縮を目的とするものに該当する。
　
４　独立特許要件についての検討
（１）検討の前提
　上記３（２）で検討したとおり，本件補正による請求項８についての補正事項３及び補正事項４は，特許法第１７条の２第５項第２号に掲げる，特許請求の範囲の減縮を目的とするものに該当するから，補正後の特許請求の範囲の請求項８に記載された事項により特定される発明が特許出願の際独立して特許を受けることができるものであるか否かにつき，更に検討する。
　
（２）本願補正発明
　本件補正後の請求項８における「前記ローカル出力デバイスの少なくとも１つに前記複数のリモート出力デバイスに送信された出力以外の出力うちの１つを，前記出力ドライバから送信することを含むことと」との記載は，「前記ローカル出力デバイスの少なくとも１つに前記複数のリモート出力デバイスに送信された出力以外の出力
の
「【請求項８】
　モバイルデバイスのための入力および出力を提供するためのシステムであって，
　メモリ記憶装置と，
　前記メモリ記憶装置に結合された処理ユニットとを備え，前記処理ユニットは，
　　ローカル入力デバイスを有するモバイルデバイスからリモートにあるリモート入力デバイスから入力を受信するように動作可能であり，前記リモート入力デバイスは前記ローカル入力デバイスよりも大きいフォームファクタを有し，さらに，
　　リモートアプリケーションサーバからデータを受信するように動作可能であり，前記リモートアプリケーションサーバは，実行可能なプログラム，データベースレコード，アプレット，スクリプト，およびウェブページの少なくとも１つと提供するように構成され，前記少なくとも１つのデータは前記入力に関連付けられ，
　　前記受信された入力および前記受信されたデータを，前記モバイルデバイスにより処理し，前記モバイルデバイスからリモートにある複数のリモート出力デバイスおよび前記モバイルデバイス上に配置されたローカル出力デバイスへの複数の出力を生成するように動作可能であり，前記受信された入力および前記リモートアプリケーションサーバから受信されたデータを処理することは，前記受信された入力に関連するアプレットおよびスクリプトのうちの少なくとも１つを前記リモートアプリケーションサーバからさらに受信して，前記アプレットおよびスクリプトのうちの少なくとも１つを使用して，前記受信されたデータの入力を処理し，
　　前記リモート出力デバイスおよび前記ローカル出力デバイスに前記出力を送信するように動作可能であり，前記リモート出力デバイスは前記ローカル出力デバイスよりも大きいフォームファクタを有し，前記モバイルデバイスから複数のリモート出力デバイスの少なくとも１つおよび前記ローカル出力デバイスの少なくとも１つに前記出力を送信することは，
　　前記複数のリモート出力デバイスの少なくとも１つに前記出力のうちの１つを，出力ドライバを介してアダプタモジュールから送信することと，
　　前記ローカル出力デバイスの少なくとも１つに前記複数のリモート出力デバイスに送信された出力以外の出力のうちの１つを，前記出力ドライバから送信することを含むこととを特徴とするシステム。」
　
（３）引用例の記載と引用発明，及び周知例
　ア　引用例１の記載と引用発明
　（ア）原査定の拒絶の理由に引用された，本願の優先権主張日（以下「本願優先日」という。）前に日本国内において頒布された刊行物である，特開２００６−１９１６７８号公報（以下「引用例１」という。）には，図１，図２３及び図３０とともに，次の記載がある。（当審注．下線は当審において付加した。以下同じ。） 
　ａ「【技術分野】
【０００１】
　
本発明は，携帯電話機などのハンドヘルド又はパームサイズの携帯情報通信装置
携帯情報通信装置とともに用いる接続ユニット
に関する
　ｂ「【発明が解決しようとする課題】
・・・
【０００９】
　本発明はこのような事情に鑑みてなされたものであり，
その目的とするところは，携帯情報通信装置の携帯性を維持したままで大きな画面での表示を可能とするとともに，文字入力の操作性を向上させることを，携帯情報通信装置のデータ処理手段以外に高機能のデータ処理手段を要することなく実現する点にある
　ｃ「【発明の効果】
【００２０】
　本発明によれば，
携帯情報通信装置のデータ処理手段が処理したデータに対応する文字や画像を，携帯情報通信装置に付帯する表示手段に限定されないで，接続された周辺装置における外部ディスプレイ手段に表示することができるため，該外部ディスプレイ手段として大画面のものを採用することにより，長文の電子メールでも円滑に理解することができ
多量の情報を含むようなウェブページの閲覧も支障なくできる
携帯情報通信装置に付帯する文字入力手段でのキー操作だけによらず，接続された周辺装置における外部文字入力手段を用いても文字を入力することができるため，該外部文字入力手段としてフルキーボードやマウスを採用することにより，文字入力の操作性が向上する
　ｄ「【００２２】
（第１の実施形態）
図１は本発明の第１の実施形態に係る携帯情報通信装置の構成及び機能を説明するためのブロック図
該携帯通信装置が携帯電話機である場合について説明している
【００２３】
　この実施形態においては，
携帯電話機10が通話に使用される場合
送受話部11を構成するマイクロホン11Aに提供された音声は電気信号に変換され
送受話部11を構成するスピーカ11Bで音声に変換される
　一方，
携帯電話機10は，データ通信及びデータ処理用としても使用される
20個前後の小型の操作キーからなる操作部16のキー操作によって生成されたデータ
公衆ネットワークから受信された電波信号が送受信部12において電気信号に変換されることによって復元されたデータがプロセッサ13に転送され，該プロセッサ13は，フラッシュメモリ14に格納されたプログラムに基づいて必要な処理を行い，処理されたデータはＲＡＭ（Random Access Memory）15に転送されて記憶ブロックに格納されたり，通常は液晶画面である表示部17に転送されて文字や画像を表示したり
送受信部12に転送されて電波信号に変換された上で公衆ネットワークにデータを送信されたりする
【００２４】
　さらに，この実施形態においては，
携帯電話機10には
必要な接続ユニットを介して周辺装置を接続することが可能なインターフェース部Ａ19
が備えられている
　また，携帯電話機10においては，あらかじめ，フラッシュメモリ14及びＲＡＭ15の各記憶ブロック，操作部16，送受信部12及び表示部17と，インターフェース部Ａ19に直接又は必要な接続ユニットを介して外部接続される周辺装置を識別し得るだけの十分な大きさの入出力アドレス空間が設定されており，
フラッシュメモリ14に格納されたプログラムは
プロセッサ13に
操作部16，送受信部12，表示部17又は外部接続された周辺装置のうちのいずれか一つにアクセスしてデータを授受せしめる機能を含む
【００２５】
　これにより，
携帯電話機10には
必要な接続ユニットを介して入力装置を外部接続することにより，携帯電話機10にもともと付属している操作部16におけるキー操作でデータを入力することに加えて，外部接続された入力装置からデータを入力することが可能である
インターフェース部Ａ19に直接に又は必要な接続ユニットを介してディスプレイ装置を外部接続することにより，携帯電話機10に付属している表示部17で文字や画像を表示することに加えて，外部接続されたディスプレイ装置に文字や画像を表示することができる
　特に，
インターフェース部Ａ19に直接に又は必要な接続ユニットを介して外部接続される入力装置としてフルキーボードを採用し
インターフェース部Ａ19に直接に又は必要な接続ユニットを介して外部接続されるディスプレイ装置として大画面のディスプレイを採用することにより，携帯電話の携帯性を維持したままで大きな画面での表示が可能になるとともに，文字入力の操作性を向上させることができる
　ｅ「【００５１】
（第２３の実施形態）
図２３は本発明の第２３の実施形態に係る携帯情報通信装置用接続ユニット及び携帯情報通信装置を使用したパーソナルコンピュータシステムの構成及び機能を説明するためのブロック図
該携帯通信装置が携帯電話機である場合について説明している
【００５２】
　この実施形態においては，
第１の実施形態の携帯電話機10と接続ユニット20が，
接続されており
接続ユニット20
には，キーボード31，マウス32及びディスプレイ33が接続されている
　これにより，
キーボード31のキー操作又はマウス32の移動操作・クリック操作によって生成されたデータは
プロセッサ13に供給される
プロセッサ13で処理されたデータは
ディスプレイ33に供給され，該ディスプレイ33ではそのデータに基づいて文字や画像が表示される
【００５３】
　なお，接続ユニット20におけるインターフェース部Ｃ23には，キーボード31，マウス32及びディスプレイ33以外にも，ＣＣＤカメラ等の画像入力装置，マイクロホン等の音声入力装置，スピーカ等の音声出力装置及びプリンタを接続することができる。その際，それらの外部接続される周辺装置は，携帯電話機10にあらかじめ設定された入出力アドレス空間に割り付けられ，これにより携帯電話機10におけるプロセッサは，これら周辺装置に正しくアクセスすることができる。
　その際，インターフェース部Ｃ23にキーボード31，マウス32等の周辺装置を接続するインターフェースの規格としては，ＵＳＢ（Universal Serial Bus）やＩＥＥＥ１３９４を採用することができる。また，
インターフェース部Ｃ23にディスプレイ33を接続するインターフェースとしてはＤＶＩ（Digital Visual Interface）を採用することができる
　ｆ「【００７１】
　一方，
図３０は，
携帯情報通信装置用接続ユニット及び携帯情報通信装置を使用したパーソナルコンピュータシステムの構成を説明する外観図
該携帯通信装置が携帯電話機である場合を説明している
【００７２】
　そこでは，接続ユニット20は携帯電話機10を挿入する挿入口42を有し，該挿入口42に携帯電話機10を挿入することによって，携帯電話機10におけるインターフェース部Ａ19（図３０に図示されていない）と接続ユニット20におけるインターフェース部Ｂ21（図３０に図示されていない）が接触し，結果として，
携帯電話機10と接続ユニット20が接続される
　また，
接続ユニット20は，キーボードケーブル43及びマウスケーブル44用の接続端子41を有し，そこにキーボードケーブル43及びマウスケーブル44のコネクタを挿入することによって，これらの入力装置を接続ユニット20に接続することができる
接続ユニット20は，ディスプレイケーブル45用の接続端子（図３０に図示されていない）も有し，ディスプレイケーブル45のコネクタを該接続端子と，ディスプレイ側の接続端子（図３０に図示されていない）に接続することによって，ディスプレイ33を接続ユニット20に接続することができる
　（イ）引用発明
　上記（ア）から，引用例１には，次の発明（以下「引用発明」という。）が記載されていると認められる。
「携帯電話機10及び接続ユニット20を使用したパーソナルコンピュータシステムであって，
　上記携帯電話機10は，送受話部11を構成するマイクロホン11A及びスピーカ11Bにより通話に使用される一方，データ通信及びデータ処理用としても使用され，その場合，小型の操作キーからなる操作部16のキー操作によって生成されたデータ，又は公衆ネットワークから受信された電波信号が送受信部12において電気信号に変換されることによって復元されたデータがプロセッサ13に転送され，該プロセッサ13は，フラッシュメモリ14に格納されたプログラムに基づいて必要な処理を行い，処理されたデータはＲＡＭ（Random Access Memory）15に転送されて記憶ブロックに格納されたり，液晶画面である表示部17に転送されて文字や画像を表示したり，上記送受信部12に転送されて公衆ネットワークに送信され，
　上記携帯電話機10と接続ユニット20が接続されており，上記接続ユニット20には，周辺装置であるキーボード31，マウス32及びディスプレイ33が接続され，上記キーボード31としてフルキーボードが，上記ディスプレイ33として大画面のディスプレイがそれぞれ採用され，
　上記キーボード31のキー操作によって生成されたデータは，上記プロセッサ13に供給され，上記プロセッサ13で処理されたデータは，上記ディスプレイ33に供給され，該ディスプレイ33ではそのデータに基づいて文字や画像が表示され，
　上記フラッシュメモリ14に格納されたプログラムは，上記プロセッサ13に，上記操作部16，上記送受信部12，上記表示部17又は上記接続ユニット20を介して接続された周辺装置のうちのいずれか一つにアクセスしてデータを授受せしめる機能を含むパーソナルコンピュータシステム。」
　イ　他の引用例
　（ア）引用例２
　原査定の拒絶の理由に引用された，本願優先日前に日本国内において頒布された刊行物である，特開２００６−７２５１４号公報（以下「引用例２」という。）には，図１及び図３とともに，次の記載がある。
　・「【００１３】
　次に，ユーザが，
ＷＥＢブラウザ等が搭載された携帯電話１９０でＷＥＢサイトにアクセスしてＷＥＢサイトの閲覧を表示装置１００で行う場合
【００１４】
　図１に示すように，
ユーザは電源がＯＮした携帯電話１９０を，本発明の表示装置１００の装着手段１０１に装着する
携帯電話１９０が装着されたことで，装着検知手段１０２が携帯端末の装着を検知すると，装着検知手段１０２は，携帯端末が装着されたことを表示パネル制御手段
１０３に通知する
【００１５】
　携帯端末が装着されたことが通知されると，
モード切替手段１０３は，装着手段１０１に装着された携帯端末の機器ＩＤと，携帯端末の画面に表示されている画像を取得する指示を携帯端末通信手段１０８に送信し
・・・
【００１９】
　
モード切替手段１０３から携帯端末が装着されたことが通知され，携帯端末通信手段１０８から画像が入力されると，表示パネル制御手段１０７は，表示パネル１１０の表示モードを通常モードから携帯端末モードに切り替えて，図４
に示すように，表示パネル１１０に入力された画像４０１とソフトキーボード４０２を表示パネル１１０に表示する
【００２０】
　図４に示すように，
携帯電話１９０の画面と同じ画像が表示パネル１１０に表示されると，ユーザは，ソフトキーボード４０２や図示しないハードキーを用いて，ユーザの希望するＷＥＢサイトへのアクセスの命令を入力する
この場合，ユーザは
「１・インターネットに接続」を選択し，その後希望するＷＥＢサイトのＵＲＬを入力する
【００２１】
　ソフトキーボード４０２やハードキーの操作はキー操作検知手段１０４に検知される。キー操作検知手段１０４に検知されたキー操作は，翻訳手段１０５に入力される。
・・・
【００２５】
　操作の内容を翻訳すると，翻訳手段１０５は，携帯端末通信手段１０８，装着手段１０１を介して，
携帯電話１９０の通信制御手段１９１に翻訳した操作の内容を送信する
【００２６】
　翻訳された操作の内容が送信されると，
通信制御手段１９１は，ＷＥＢブラウザを用いて送信された操作の内容に従ってユーザが希望するＷＥＢサイトにアクセスして，ＷＥＢサイトのコンテンツを取得し，一時的に記憶手段１９２に記憶させる。通信制御手段１９１は，記憶させたコンテンツを携帯端末通信手段１０８に送信する
【００２７】
　コンテンツが通信制御手段１９１から送信されると，
携帯端末通信手段１０８は，送信されたコンテンツを表示パネル制御手段１０７に入力する
【００２８】
　
表示パネル制御手段１０７は，入力されたコンテンツを表示パネル１１０に表示する
　（イ）引用例３
　原査定の拒絶の理由に引用された，本願優先日前に日本国内において頒布された刊行物である，特開２００６−６７００３号公報（以下「引用例３」という。）には，図１ないし３とともに，次の記載がある。
「【００１３】
　図１に示すように，本実施の形態１に係る
無線通信装置１００は
ＬＣＤ１３０
ビデオ出力ＬＳＩ（Large Scale Integration）１５０を有する
【００１４】
　図１において，アプリＣＰＵ１１０は，メモリ１２０に格納されている画像データ（主に静止画）を読み出し，このメモリ１２０から読み出した
画像データを転送元の表示装置であるＬＣＤ１３０，およびビデオ出力ＬＳＩ１５０に転送する
・・・
【００１６】
　図２に示すように，
無線通信装置１００のビデオ出力ＬＳＩ１５０は
画像変換部２０２
補間部２０９
メモリ制御部２１０を有する
・・・
【００１９】
　
画像変換部２０２は，外部インターフェース部２０１から入力される画像データをマトリックス回路により輝度信号と色差信号に変換し
【００２０】
　
メモリ制御部２１０は，画像変換部２０２から入力される変換された画像データをビデオ出力ＬＳＩ専用メモリ１４０に出力
【００２１】
　また，
メモリ制御部２１０は，ビデオ出力ＬＳＩ専用メモリ１４０に書き込まれた画像データを読み込み，補間部２０９にその画像データを出力する
補間部２０９は，メモリ制御部２１０からの画像データが入力された後，転送先の表示装置の画面の大きさに対応する拡大処理（補間処理）を行い，エンコーダ部２０３にその画像データを出力する
・・・
【００２４】
　図３は，本実施の形態１に係る無線通信装置の表示画面サイズとテレビ出力画面サイズとの関係を示す図である。図３において，
無線通信装置１００は，ＡＶケーブル３０１を介してテレビジョン装置３００に接続される
【００２５】
　図３に示すように，
無線通信装置１００のビデオ出力ＬＳＩ１５０の補間部２０９は，テレビジョン装置３００のテレビ画面３０２の縦４８０ラインまで転送画像を拡大し，この転送画像の縦サイズと同じ拡大率で転送画像の横サイズを拡大補間する
　（ウ）引用例４
　原査定の拒絶の理由に引用された，本願優先日前に外国において頒布された刊行物である，欧州特許出願公開第１１８０９０３号明細書（以下「引用例４」という。）には，次の記載がある。
　・「［0007］It is therefore an object of this invention to present a system and method for wirelessly linking display devices having different display capabilities to provide better display quality to a user of a mobile terminal with an economic and efficient short range RFlink.」
（当審訳：［０００７］そこで，
この発明の目的は
携帯端末機の利用者に優れた表示性能をもたらすため，表示性能の異なる表示装置を無線接続できるようにするシステム及び方法を提供する
　・「［0012］The image data received by the mobile terminal is included within the first packet or a plurality of packets of a type appropriate to the wireless transmission method used. In addition to the data to be forwarded to the external display device, the packets received by the mobile terminal may contain data that may be used exclusively at the mobile terminal, such as voice data, control data, image data, or data for a displayable menu for the mobile terminal. The mobile terminal may have an application that splits the data packets received by the mobile device and forwards part of the data to the mobile terminal's own display and another part of the data for transmission with a shortrange RF link in an appropriate format to the external display device.」
（当審訳：［００１２］携帯端末機によって受信される画像データは，無線伝送での使用に適した形式の先頭パケット又は多数のパケットに含まれる。そこには，
外部の表示装置に送信されるデータに加え，音声データ，制御データ，画像データ，携帯端末機のための表示可能なメニュー用のデータといった，専ら携帯端末機で使用されるデータも含まれ得る
携帯端末機は，携帯端末機内の装置で受信したデータを分割し，分割されたデータの一方の部分を携帯端末機の表示装置に送信し，他方の部分を，短距離無線により，それに適したフォーマットで，外部の表示装置に送信するアプリケーションを備えている
　（エ）引用例５
　原査定の拒絶の理由に引用された，本願優先日前に日本国内において頒布された刊行物である，特開２００４−２１４７６６号公報（以下「引用例５」という。）には，図１とともに，次の記載がある。
　・「【０００２】
【従来の技術】
　従来より，
携帯電話機の多くは
数インチの表示部（液晶ディスプレイなど）を有して成る
・・・
【０００４】
【発明が解決しようとする課題】
・・・
【０００５】
　しかしながら，
上記構成から成る携帯電話機では，本体の携帯性を考慮して表示部の設置面積を大きくとれないため，表示内容の視認性や臨場感が乏しい
・・・
【０００７】
　本発明は，上記の問題点に鑑み，
本体の携帯性を損なうことなく，表示内容の視認性や臨場感を向上させることが可能な携帯電話機の提供を第１の目的とし
　・「【０００８】
【課題を解決するための手段】
　上記目的を達成するために，
本発明に係る携帯電話機は，入力された情報を外部表示装置で読取可能な画像信号形式に変換して出力する画像出力部を有して成り，前記外部表示装置への情報出力を行う構成としている
このような構成とすることにより，本体の携帯性を損なうことなく，表示内容の視認性や臨場感を向上させることが可能となる
・・・
【００１５】
【発明の実施の形態】
　図１は本発明に係る携帯電話機の要部構成を示すブロック図である。本図に示すように，本発明に係る
携帯電話機１は
表示部１２と，音声部１３と
画像出力部１７と，を有して成る
【００１６】
　・・・
表示部１２は，液晶ディスプレイ等から成る情報表示手段
音声部１３は
スピーカ１３ｂを制御する音声入出力手段
画像出力部１７は，入力された情報（静止画や動画，文字など）を外部表示装置２で読取可能な画像信号形式（例えば，ビデオ信号形式）に変換して出力するインターフェイス部
【００１７】
　次に，上記構成から成る携帯電話機１の特徴動作（外部表示装置２への画像出力動作）について，具体例を挙げながら詳細に説明する。
・・・
【００２０】
　第３の具体例は，
閲覧中のＷｅｂコンテンツ情報を外部表示装置２に出力する場合
制御部１０は，送受信部１１を介して指定サーバから所望のＷｅｂコンテンツ情報を取得して画像出力部１７に送出し，該情報を外部出力するように要求する。
外部表示装置２には，閲覧中のＷｅｂコンテンツ情報が表示されることになる
外部表示装置２として表示部１２より大型のモニタ装置を用いれば，携帯電話機１本体の携帯性を損なうことなく，表示内容の視認性を向上させることが可能となる
【００２１】
　第４の具体例は，
閲覧中のＷｅｂコンテンツ情報を外部表示装置２に出力しながら音声通話を行う場合
制御部１０は，得られた音声情報及びＷｅｂコンテンツ情報を各々音声部１３及び画像出力部１７に送出し，画像出力部１７に対して該Ｗｅｂコンテンツ情報を外部出力するように要求する
外部表示装置２には，閲覧中のＷｅｂコンテンツ情報が表示されることになる
ユーザは，外部表示装置２を通してＷｅｂコンテンツ情報を閲覧しながら，携帯電話機１本体で良好な音声通話を行うことが可能となる
　ウ　周知例
　（ア）周知例１
　本願優先日前に日本国内において頒布された刊行物である，特表２００４−５１１８５２号公報（以下「周知例１」という。）には，図１とともに，次の記載がある。
　「【００１１】
【発明の実施の形態】
　図１をまず参照すれば，本発明の一つの実施例に準じるコンピュータネットワーキングシステムが１０で概して示されている。システム１０は，通常コンピュータ１６を介してサーバ１４からデータをダウンロードするように構成される複数の遠隔クライアント１２を有している。
遠隔クライアント１２は
携帯情報端末（ＰＤＡｓ），ウェブ使用可能な無線電話
である
・・・
【００１６】
　
サーバ１４， ２８は
遠隔クライアント１２により実行されるブラウザプログラム３４にウェブリソースを提供するウェブサーバ１４， ２８である
ウェブリソースはウェブページソースデータ３２，画像データ３３，音声データ，ビデオデータ，グラフィックスデータ，ジャバスクリプトアプレットのような埋め込みコード
　（イ）周知例２
　本願優先日前に日本国内において頒布された刊行物である，特開２００３−１４１３５９号公報（以下「周知例２」という。）には，図１及び図２とともに，次の記載がある。
　「【００２５】〔１．第１実施形態の構成〕第１実施形態は，図１の機能ブロック図に示すように，
クレジットの利用者である顧客１が用いるクライアントシステム２を相手として，通信ネットワークであるインターネット３経由で，ウェブサーバ機能により情報提示及び操作受付を行うクレジット情報処理システム４（以下サーバ４と呼ぶ）であり
【００２６】ここで，
クライアントシステム２としては，インターネット接続機能付携帯電話端末装置，ＰＤＡ(Personal Digital Assistant)
【００２７】〔２．第１実施形態の作用〕・・・
【００２８】一方，
顧客１は，自分の月ごとの支払金額を閲覧する場合，クライアントシステム２からインターネット３経由でサーバ４のウェブサイトへアクセスする
クライアントシステム２にウェブページとして，分割払いを含む月ごとの支払金額をグラフの形式で表示させる
ＣＧＩ処理部３０は，ウェブページを表すＨＴＭＬや画像といったデータと共に，Ｊａｖａスクリプトやアプレット，Ｆｌａｓｈなど，グラフィカル・ユーザ・インタフェース（ＧＵＩ）を実現するプログラムモジュール３１をクライアントシステム２へ送り出す
　（ウ）周知例３
　本願優先日前に日本国内において頒布された刊行物である，特開２００６−１０９１４９号公報（以下「周知例３」という。）には，図６とともに，次の記載がある。
　「【００３９】
　図６は，この携帯電話機１の通信・画像・制御処理を示すブロック図である。・・・
・・・
【００５６】
　
表示ドライバ２９は，サブ表示部装着部１１にサブ表示モジュール１１０〜１１２（すなわちモノクロ，二色，カラーの液晶表示モジュールのみ）が装着された場合に，液晶表示デバイスを駆動させるための駆動信号を生成する回路部である
表示ドライバ２９は，サブ表示部装着部１１にいずれのサブ表示モジュール１１０〜１１２が装着された場合でも，後述のドライバ情報記憶部３１から，装着されたモジュール，及び，後述する設定テーブル３２１の設定内容に対応するドライバ情報を取得し，モジュールに対応して時計を表示する表示情報を生成する
　
（４）本願補正発明と引用発明との対比
　ア　引用発明の「携帯電話機10」は，本願補正発明の「モバイルデバイス」に相当する。また，本願明細書における「アダプタモジュール１４０は，モバイルデバイス１０５がリモート出力デバイス１３０と接続するのを可能にすることができる。アダプタモジュール１４０は，ポートまたはドライバを介してモバイルデバイス１０５にプラグインすることのできる，モバイルデバイス１０５とは別個のコンポーネントとすることができる。アダプタモジュール１４０は，モバイルデバイス１０５の内部または外部にあってよい。」（段落【００１６】）との記載から，引用発明における「接続ユニット20」は，本願補正発明の「アダプタモジュール」に相当するといえる。
　そして，上記（３）ア（イ）より，引用発明において，上記「携帯電話機10」の「操作部16」のキー操作によって生成されたデータ，又は公衆ネットワークから受信された電波信号が上記「携帯電話機10」の「送受信部12」において復元されたデータは，上記「携帯電話機10」の「プロセッサ13」で処理され，処理されたデータは，上記「携帯電話機10」の「ＲＡＭ15」に転送されて格納されたり，上記「携帯電話機10」の「表示部17」に転送されて文字や画像を表示したり，上記「送受信部12」に転送されて公衆ネットワークに送信されたりする。
　さらに，引用発明において，上記「携帯電話機10」に「接続ユニット20」を介して接続された「キーボード31」のキー操作によって生成されたデータも，上記「プロセッサ13」に供給され，また，上記「プロセッサ13」で処理されたデータは，上記「携帯電話機10」に上記「接続ユニット20」を介して接続された「ディスプレイ33」に供給され，そのデータに基づいて文字や画像が表示される。
　そうすると，引用発明における「パーソナルコンピュータシステム」は，上記「携帯電話機10」のための入力及び出力を提供するためのシステムといえるから，本願補正発明の「モバイルデバイスのための入力および出力を提供するためのシステム」に相当するとと認められる。
　イ　引用発明における「フラッシュメモリ14」及び「ＲＡＭ15」は，本願補正発明の「メモリ記憶装置」に相当する。
　また，上記（３）ア（イ）より，引用発明において，「プロセッサ13」は，上記「フラッシュメモリ14」に格納されたプログラムに基づいて必要な処理を行い，処理されたデータは上記「ＲＡＭ15」に転送されることからすれば，上記「プロセッサ13」が上記「フラッシュメモリ14」及び「ＲＡＭ15」に結合されていることは明らかであり，引用発明における「プロセッサ13」は，本願補正発明における「処理ユニット」に相当するといえる。
　そうすると，引用発明は，本願補正発明における「メモリ記憶装置と，前記メモリ記憶装置に結合された処理ユニットとを備え」に相当する構成を備えると認められる。
　ウ　引用発明における「操作部16」は，本願補正発明における「ローカル入力デバイス」に相当する。
　そして，上記アで検討したとおり，「携帯電話機10」に「接続ユニット20」を介して接続された「キーボード31」のキー操作によって生成されたデータは，「プロセッサ13」に供給されるから，引用発明における「キーボード31」は，本願補正発明の「リモート入力デバイス」に相当する。
　ところで，本願明細書における「リモート入力デバイス１２５は，モバイルデバイス１０５の小さいフォームファクタによって制限されないサイズまたは構成を有する入力デバイスを構成することができる。リモート入力デバイス１２５は，ｉ）キーボード，・・・を構成することができる。以上は例であり，リモート出力デバイス１３０は，モバイルデバイス１０５の小さいサイズによって制限されない，リモートに位置する任意の出力デバイスを構成することができる。」（段落【００２０】）との記載，及び「リモート出力デバイス１３０は，モバイルデバイス１０５の小さいフォームファクタによって制限されないサイズまたは構成を有する出力デバイスを構成することができる。リモート出力デバイス１３０は，ｉ）ＴＶ，・・・のうちの１つを構成することができる。以上は例であり，リモート出力デバイス１３０は，モバイルデバイス１０５の小さいサイズによって制限されない，リモートに位置する任意の出力デバイスを構成することができる。」（段落【００２１】）との記載より，本願補正発明における「フォームファクタ」は，サイズを意味すると解される。
　そして，上記（３）ア（イ）より，引用発明において，「操作部16」が上記「携帯電話機10」上に配置された小型の操作キーからなるのに対し，上記「キーボード31」としてフルキーボードが採用されるから，上記「キーボード31」が上記「操作部16」よりも大きいフォームファクタを有することは明らかである。
　そうすると，引用発明は，本願補正発明における「前記処理ユニットは，ローカル入力デバイスを有するモバイルデバイスからリモートにあるリモート入力デバイスから入力を受信するように動作可能であり，前記リモート入力デバイスは前記ローカル入力デバイスよりも大きいフォームファクタを有し」に相当する構成を備えると認められる。
　エ　引用発明における「表示部17」は，本願補正発明における「ローカル出力デバイス」に相当する。
　そして，上記アで検討したとおり，「プロセッサ13」で処理されたデータは，「携帯電話機10」に「接続ユニット20」を介して接続された「ディスプレイ33」に供給され，そのデータに基づいて文字や画像が表示される。
　また，上記ウで検討したとおり，本願補正発明における「フォームファクタ」は，サイズを意味すると解されるところ，上記（３）ア（イ）より，引用発明において，上記「表示部17」が上記「携帯電話機10」上に配置された液晶画面であるのに対し，上記「ディスプレイ33」として大画面のディスプレイが採用されるから，上記「ディスプレイ33」が，上記「表示部17」よりも大きいフォームファクタを有することは明らかである。
　そうすると，引用発明は，本願補正発明における「前記処理ユニットは，」「前記リモート出力デバイスおよび前記ローカル出力デバイスに前記出力を送信するように動作可能であり，前記リモート出力デバイスは前記ローカル出力デバイスよりも大きいフォームファクタを有し」に相当する構成を備えると認められる。
　オ　以上から，本願補正発明と引用発明との一致点と相違点は，次のとおりである。
　（ア）一致点
「　モバイルデバイスのための入力および出力を提供するためのシステムであって，
　メモリ記憶装置と，
　前記メモリ記憶装置に結合された処理ユニットとを備え，前記処理ユニットは，
　　ローカル入力デバイスを有するモバイルデバイスからリモートにあるリモート入力デバイスから入力を受信するように動作可能であり，前記リモート入力デバイスは前記ローカル入力デバイスよりも大きいフォームファクタを有し，さらに，
　　前記リモート出力デバイスおよび前記ローカル出力デバイスに前記出力を送信するように動作可能であり，前記リモート出力デバイスは前記ローカル出力デバイスよりも大きいフォームファクタを有するシステム。」
　（イ）相違点
　・相違点１
　本願補正発明において，「前記処理ユニットは，」「リモートアプリケーションサーバからデータを受信するように動作可能であり，前記リモートアプリケーションサーバは，実行可能なプログラム，データベースレコード，アプレット，スクリプト，およびウェブページの少なくとも１つと提供するように構成され，前記少なくとも１つのデータは前記入力に関連付けられ，前記受信された入力および前記受信されたデータを，前記モバイルデバイスにより処理し」，「前記受信された入力および前記リモートアプリケーションサーバから受信されたデータを処理することは，前記受信された入力に関連するアプレットおよびスクリプトのうちの少なくとも１つを前記リモートアプリケーションサーバからさらに受信して，前記アプレットおよびスクリプトのうちの少なくとも１つを使用して，前記受信されたデータの入力を処理」するものであるのに対し，引用発明は，「公衆ネットワークから受信された電波信号が送受信部12において電気信号に変換されることによって復元されたデータ」を，「携帯電話機10」の「プロセッサ13」で処理するものではあるが，受信されたデータと上記「プロセッサ13」における処理について，本願補正発明における上記の特定はされていない点。
　・相違点２
　本願補正発明は，「複数のリモート出力デバイスの少なくとも１つ」に出力を送信する際に，「出力ドライバを介してアダプタモジュールから送信」し，「ローカル出力デバイスの少なくとも１つ」に出力を送信する際に，「前記出力ドライバから送信する」ものであるのに対し，引用発明は，本願補正発明における「出力ドライバ」に相当する構成を備えることは特定されていない点。
　・相違点３
　本願補正発明は，「前記モバイルデバイスからリモートにある複数のリモート出力デバイスおよび前記モバイルデバイス上に配置されたローカル出力デバイスへの複数の出力を生成するように動作可能であり」，「前記モバイルデバイスから複数のリモート出力デバイスの少なくとも１つおよび前記ローカル出力デバイスの少なくとも１つに前記出力を送信することは，前記複数のリモート出力デバイスの少なくとも１つに前記出力のうちの１つを，出力ドライバを介してアダプタモジュールから送信することと，前記ローカル出力デバイスの少なくとも１つに前記複数のリモート出力デバイスに送信された出力以外の出力のうちの１つを，前記出力ドライバから送信することを含む」ものであるのに対し，引用発明において，「フラッシュメモリ14」に格納されたプログラムは，「プロセッサ13」に，「操作部16」，「送受信部12」，「表示部17」又は「接続ユニット20」を介して接続された周辺装置のうちのいずれか一つにアクセスしてデータを授受せしめる機能を含むものであるが，上記「接続ユニット20」を介して接続された周辺装置である「ディスプレイ33」，及び「表示部17」への出力の生成と送信について，本願補正発明における上記の特定はされていない点。
　
（５）相違点についての検討
　ア　相違点１について
　上記（３）アより，引用発明は，「携帯電話機10」からの入力を，上記「携帯電話機10」に「接続ユニット20」を介して接続された「キーボード31」から受信するものと認められ，また，上記「携帯電話機10」が公衆ネットワークから受信した電気信号を復元したデータを上記「携帯電話機10」の「プロセッサ13」で処理するものとも認められる。
　そして，ウェブの使用が可能な携帯電話機において，携帯電話機からの入力に関連付けて，リモートサーバからデータを受信することは，上記（３）イ（ア），並びに上記（３）ウ（ア）及び（イ）より，引用例２，周知例１及び周知例２にみられるように，本願の優先日前，当該技術分野では周知の技術（以下「周知技術１」という。）である。
　そうすると，引用発明において，上記「キーボード31」から受信した上記「携帯電話機10」からの入力に関連づけて，上記「携帯電話機10」がリモートサーバからウェブページのデータを受信し，このデータを上記「携帯電話機10」の「プロセッサ13」により，すなわち上記「携帯電話機10」により処理するようにすることは，引用例１の記載に接した当業者が，周知技術１に基づいて，当業者が容易に想到し得たものというべきである。
　そして，ウェブの使用が可能な携帯電話機において，ウェブの使用が可能な携帯電話機からの入力に関連付けて，リモートサーバからデータを受信する際，アプレット及びスクリプトのうちの少なくとも１つを上記リモートサーバからさらに受信して，上記アプレット及びスクリプトのうちの少なくとも１つを使用して，上記受信されたデータを処理することは，周知例１及び周知例２にみられるように，本願の優先日前，当該技術分野では普通に行われていたものであるから，引用発明に周知技術１を適用する際に，アプレット及びスクリプトのうちの少なくとも１つをリモートサーバからさらに受信し，上記アプレット及びスクリプトのうちの少なくとも１つを使用して，リモートサーバから受信されたデータを処理することは，本願優先日前における当該技術分野の技術水準に照らせば，当業者が普通に行い得るものというべきである。
　以上から，相違点１に係る構成は，引用発明に周知技術１を適用することにより，当業者が容易に想到し得たものであり，格別のものとはいえない。
　イ　相違点２について
　携帯電話機において，携帯電話機に外部接続された出力装置や，携帯電話機上に配置された出力装置に信号を出力する際に，携帯電話機内部に出力ドライバを設け，出力ドライバから出力装置に信号を出力することは，上記（３）イ（イ），及び上記（３）ウ（ウ）より，引用例３及び周知例３にみられるように，本願の優先日前，当該技術分野では技術常識である。
　そうすると，引用発明が，「携帯電話機10」内に配置された「表示部17」及び「携帯電話機10」に「接続ユニット20」を介して接続された「ディスプレイ33」へ信号を出力する出力ドライバを備えることは，引用例１に明記されていなくても，引用例１の記載に接した当業者には自明であり，引用例１に記載された事項に等しいものというべきである。
　以上から，相違点２に係る構成は，本願補正発明と引用発明との実質的な相違点であるとはいえない。
　また，仮にそうでないとしても，引用発明において，上記「表示部17」及び「ディスプレイ33」へ信号を出力する出力ドライバを，上記「携帯電話機10」内部に設けることは，当業者が普通に行い得るものであり，相違点２に係る構成は格別のものとはいえない。
　ウ　相違点３について
　引用例１の記載（上記（３）ア（ア）ｂ及びｃ）によれば，引用発明は，携帯電話の携帯性を維持したままで，パソコンを使用することなく，大画面での表示を可能にするとともに，文字入力の操作性を向上させることを解決課題とし，「携帯電話機10」に「接続ユニット20」を介して，周辺装置である「キーボード31」及び「ディスプレイ33」が接続され，上記「キーボード31」としてフルキーボードが，上記「ディスプレイ33」として大画面のディスプレイがそれぞれ採用されることで，上記課題を解決したものである。
　そして，ウェブの使用が可能な携帯電話機であって，携帯電話機上に配置された表示部よりも大型で表示性能の優れた出力デバイスを接続し，表示内容の視認性を向上させた携帯電話機において，携帯電話機に外部接続された出力デバイスへの出力と，この出力とは異なる，携帯電話機上に配置された出力デバイスへの出力とを，それぞれ生成し送信することは，上記（３）イ（ウ）及び（エ）より，引用例４及び引用例５にみられるように，本願優先日前，当該技術分野では周知の技術（以下「周知技術２」という。）である。
　そうすると，引用発明と周知技術２とは解決課題が共通し，引用発明に周知技術２を適用する動機付けが存在するといえるから，引用発明において，「携帯電話機10」に「接続ユニット20」を介して接続された「ディスプレイ33」への出力と，この出力とは異なる，「携帯電話機10」上に配置された，「表示部17」や送受話部11を構成するスピーカ11Bといった出力デバイスへの出力を，それぞれ生成し送信することは，解決課題の共通する上記周知技術２に基づいて，当業者が容易に想到し得たものである。
　そして，本願明細書に記載の「飛行機で家に帰る間，ユーザは飛行機の座席に取り付けられたＬＣＤスクリーンにモバイルデバイス１０５を接続し，モバイルデバイス１０５のＬＣＤスクリーンと同じ出力を表示してビデオゲームをすることができる。ビデオゲームをしながら，ユーザは，接続されたヘッドホンを介して音楽を聴くことができる。」（段落【００２７】）との作用効果も，周知技術２の内容に鑑みれば，引用発明に周知技術２を適用する際に，当業者が容易に予測し得た範囲内のものというべきであり，格別のものとはいえない。
　以上から，引用発明において，相違点３に係る構成とすることは，周知技術２を適用することにより，当業者が容易に想到し得たものである。
　
（６）本願補正発明の容易想到性について
　本願補正発明は，従来技術において，モバイルデバイスの小さいサイズのせいで入力および出力が困難になる，及び従来のモバイルデバイスには，モバイルデバイスからの出力をテレビジョン（ＴＶ）に表示できるようにする機能が装備されている場合があるが，この機能は特定のアプリケーションと共にしか動作せず，従来の入力および出力プロセスは，モバイルデバイスの複数の機能に対して汎用的でないといった問題がある（段落【０００２】）ことに鑑み，モバイルデバイスのための入力および出力を提供すること（段落【０００３】）を目的としたものである。
　他方，上記（５）ウで検討のとおり，引用例１の記載によれば，引用発明は，携帯電話の携帯性を維持したままで，パソコンを使用することなく，大画面での表示を可能にするとともに，文字入力の操作性を向上させることを解決課題とし，「携帯電話機10」に「接続ユニット20」を介して，周辺装置である「キーボード31」及び「ディスプレイ33」が接続され，上記「キーボード31」としてフルキーボードが，上記「ディスプレイ33」として大画面のディスプレイがそれぞれ採用されることで，上記課題を解決したものである。
　そうすると，引用発明は，本願補正発明と同様の課題を解決したものであり，本願補正発明と引用発明との間に，解決課題の点で格別の相違があるとは認められない。
　そして，上記アないしウで検討したとおり，本願補正発明と引用発明との構成上の相違点，及びそれによる作用効果は，周知技術１及び周知技術２に基づいて，当業者が容易に想到し得たものである。
　以上によれば，本願補正発明は，引用発明，並びに周知技術１及び周知技術２に基づいて，当業者が容易に発明をすることができたものである。
　
（７）まとめ
　本件補正後の請求項８に係る発明（本願補正発明）は，引用例１記載の発明（引用発明），並びに周知技術１及び周知技術２に基づいて，当業者が容易に発明をすることができたものであり，特許法第２９条第２項の規定により，特許出願の際独立して特許を受けることができないものである。
　
５　むすび
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。
　
第３　本願発明の容易想到性について
　
１　本願発明について
　平成２５年９月１０日に提出された手続補正書による手続補正は前記のとおり却下されたので，本願の請求項１ないし１８に係る発明は，平成２３年１２月２８日に提出された手続補正書により補正された，特許請求の範囲の請求項１ないし１８に記載されたとおりのものである。
　そして，その請求項８における「前記ローカル出力デバイスの少なくとも１つに前記複数のリモート出力デバイスに送信された出力以外の出力うちの１つを送信することを含むことと」との記載は，「前記ローカル出力デバイスの少なくとも１つに前記複数のリモート出力デバイスに送信された出力以外の出力
の
「【請求項８】
　モバイルデバイスのための入力および出力を提供するためのシステムであって，
　メモリ記憶装置と，
　前記メモリ記憶装置に結合された処理ユニットとを備え，前記処理ユニットは，
　　ローカル入力デバイスを有するモバイルデバイスからリモートにあるリモート入力デバイスから入力を受信するように動作可能であり，前記リモート入力デバイスは前記ローカル入力デバイスよりも大きいフォームファクタを有し，さらに，
　　リモートアプリケーションサーバからデータを受信するように動作可能であり，前記リモートアプリケーションサーバは，実行可能なプログラム，データベースレコード，アプレット，スクリプト，およびウェブページの少なくとも１つと提供するように構成され，前記少なくとも１つのデータは前記入力に関連付けられ，
　　前記受信された入力および前記受信されたデータを処理し，前記モバイルデバイスからリモートにある複数のリモート出力デバイスおよび前記モバイルデバイス上に配置されたローカル出力デバイスへの複数の出力を生成するように動作可能であり，前記受信された入力および前記リモートアプリケーションサーバから受信されたデータを処理することは，前記受信された入力に関連するアプレットおよびスクリプトのうちの少なくとも１つを前記リモートアプリケーションサーバからさらに受信して，前記アプレットおよびスクリプトのうちの少なくとも１つを使用して，前記受信されたデータの入力を処理し，
　　前記リモート出力デバイスおよび前記ローカル出力デバイスに前記出力を送信するように動作可能であり，前記リモート出力デバイスは前記ローカル出力デバイスよりも大きいフォームファクタを有し，前記モバイルデバイスから複数のリモート出力デバイスの少なくとも１つおよび前記ローカル出力デバイスの少なくとも１つに前記出力を送信することは，
　　前記複数のリモート出力デバイスの少なくとも１つに前記出力のうちの１つを送信することと，
　　前記ローカル出力デバイスの少なくとも１つに前記複数のリモート出力デバイスに送信された出力以外の出力のうちの１つを送信することを含むことと
を特徴とするシステム。」
　
２　引用例１の記載と引用発明
　引用例１の記載は，前記第２の４（３）ア（ア）のとおりであり，引用発明は，前記第２の４（３）ア（イ）で認定したとおりである。
　
３　本願発明と引用発明との対比
　前記第２の１及び２から明らかなように，本願発明は，本願補正発明から，平成２５年９月１０日に提出された手続補正書による補正事項３及び補正事項４で付加した技術的限定を取り除いたものである。
　そこで，本願発明と引用発明とを対比すると，前記第２の４（４）の検討により，両者の一致点と相違点は，次のとおりである。
（１）一致点
「　モバイルデバイスのための入力および出力を提供するためのシステムであって，
　メモリ記憶装置と，
　前記メモリ記憶装置に結合された処理ユニットとを備え，前記処理ユニットは，
　　ローカル入力デバイスを有するモバイルデバイスからリモートにあるリモート入力デバイスから入力を受信するように動作可能であり，前記リモート入力デバイスは前記ローカル入力デバイスよりも大きいフォームファクタを有し，さらに，
　　前記リモート出力デバイスおよび前記ローカル出力デバイスに前記出力を送信するように動作可能であり，前記リモート出力デバイスは前記ローカル出力デバイスよりも大きいフォームファクタを有するシステム。」
　
（２）相違点
　・相違点１
　本願発明において，「前記処理ユニットは，」「リモートアプリケーションサーバからデータを受信するように動作可能であり，前記リモートアプリケーションサーバは，実行可能なプログラム，データベースレコード，アプレット，スクリプト，およびウェブページの少なくとも１つと提供するように構成され，前記少なくとも１つのデータは前記入力に関連付けられ，前記受信された入力および前記受信されたデータを処理」し，「前記受信された入力および前記リモートアプリケーションサーバから受信されたデータを処理することは，前記受信された入力に関連するアプレットおよびスクリプトのうちの少なくとも１つを前記リモートアプリケーションサーバからさらに受信して，前記アプレットおよびスクリプトのうちの少なくとも１つを使用して，前記受信されたデータの入力を処理」するものであるのに対し，引用発明は，「公衆ネットワークから受信された電波信号が送受信部12において電気信号に変換されることによって復元されたデータ」を，「携帯電話機10」の「プロセッサ13」で処理するものではあるが，受信されたデータと上記「プロセッサ13」における処理について，本願発明における上記の特定はされていない点。
　・相違点２
　本願発明は，「前記モバイルデバイスからリモートにある複数のリモート出力デバイスおよび前記モバイルデバイス上に配置されたローカル出力デバイスへの複数の出力を生成するように動作可能であり」，「前記モバイルデバイスから複数のリモート出力デバイスの少なくとも１つおよび前記ローカル出力デバイスの少なくとも１つに前記出力を送信することは，前記複数のリモート出力デバイスの少なくとも１つに前記出力のうちの１つを送信することと，前記ローカル出力デバイスの少なくとも１つに前記複数のリモート出力デバイスに送信された出力以外の出力のうちの１つを送信することを含む」ものであるのに対し，引用発明において，「フラッシュメモリ14」に格納されたプログラムは，「プロセッサ13」に，「操作部16」，「送受信部12」，「表示部17」又は「接続ユニット20」を介して接続された周辺装置のうちのいずれか一つにアクセスしてデータを授受せしめる機能を含むものであるが，上記「接続ユニット20」を介して接続された周辺装置である「ディスプレイ33」，及び「表示部17」への出力の生成と送信について，本願発明における上記の特定はされていない点。
　
４　相違点についての検討
（１）相違点１について
　本願発明と引用発明との相違点１は，本願補正発明と引用発明との相違点１から，補正事項３で付加した技術的限定を取り除いたものであり，本願補正発明と引用発明との相違点１を含むものである。
　そして，前記第２の４（５）アで検討したとおり，本願補正発明と引用発明との相違点１は，引用発明において，周知技術１に基づいて，当業者が容易に想到し得たものである。
　そうすると，本願補正発明と引用発明との相違点１を含む，本願発明と引用発明との相違点１も，引用発明において，周知技術１に基づいて，当業者が容易に想到し得たものであり，格別なものとはいえない。
　
（２）相違点２について
　本願発明と引用発明との相違点２は，本願補正発明と引用発明との相違点３から，補正事項４で付加した技術的限定を取り除いたものであり，本願補正発明と引用発明との相違点３を含むものである。
　そして，前記第２の４（５）ウで検討したとおり，本願補正発明と引用発明との相違点３は，引用発明において，周知技術２に基づいて，当業者が容易に想到し得たものである。
　そうすると，本願補正発明と引用発明との相違点３を含む，本願発明と引用発明との相違点２も，引用発明において，周知技術２に基づいて，当業者が容易に想到し得たものであり，格別なものとはいえない。
　
５　まとめ
　以上のとおり，本願の請求項８に係る発明（本願発明）は，引用例１記載の発明（引用発明），並びに周知技術１及び周知技術２に基づいて，当業者が容易に発明をすることができたものであり，特許法第２９条第２項の規定により，特許を受けることができないものである。
　
第４　結言
　
　以上検討したとおり，本願の請求項８に係る発明は，特許法第２９条第２項の規定により特許を受けることができないから，その余の請求項について検討するまでもなく，本願は拒絶されるべきものである。
　
　よって，結論のとおり審決する。